(57)【要約】【課題】監視対象に関するイベントの時間的な情報を直感的に認識することができる情報表示装置を提供する。【解決手段】イベント情報記憶部３４は、複数の監視対象のうち、イベントが発生した（または発生する予定の）監視対象それぞれに対応させて、イベントの発生時間を記憶する。制御部１０は、複数の監視対象それぞれを全体図内に表示するための位置情報に基づき、全体図内に、イベント情報記憶部３４に記憶されている、イベントが発生した（または発生する予定の）監視対象に対応させて、イベント表示画像を描画するよう制御する。イベント表示画像は、周方向に所定の時間を示す円状部と、現在の時または分を示すインジケータと、イベントの発生時間に対応させたイベント発生時間表示部とを含む。【選択図】図２
2015191643.tif 000002
【特許請求の範囲】
【請求項１】
複数の監視対象のうち、イベントが発生した監視対象、または、イベントの発生が予定されている監視対象それぞれに対応させて、イベントの発生時間を記憶するイベント情報記憶部と、
前記複数の監視対象それぞれを全体図内に表示するための位置情報に基づき、前記全体図内に、前記イベント情報記憶部に記憶されている監視対象に対応させて、イベント表示画像を描画するよう制御する描画制御部と、
を備え、
前記描画制御部は、前記イベント表示画像として、
周方向に所定の時間を示す円状部と、
現在の時または分を示すインジケータと、
前記円状部に表示され、イベントの発生時間に対応させたイベント発生時間表示部と、
を描画する
ことを特徴とする情報表示装置。
【請求項２】
前記円状部は、現在の時以前の前記所定の時間を示し、
前記イベント発生時間表示部は、過去に発生したイベントでは、イベントの発生時刻からイベントの解消時刻までの時間を示し、現在の時で継続しているイベントでは、イベントの発生時刻から現在の時までの時間を示す
ことを特徴とする請求項１記載の情報表示装置。
【請求項３】
前記円状部は、現在の時と最も過去の時との間に間隙部を有することを特徴とする請求項２記載の情報表示装置。
【請求項４】
前記円状部は、現在の時を挟んで過去及び将来を含む前記所定の時間を示し、
前記イベント発生時間表示部は、過去に発生したイベントでは、イベントの発生時刻からイベントの解消時刻までの時間を示し、現在の時で継続しているイベントでは、イベントの発生時刻から現在の時までの時間を示し、過去に発生して将来解消するイベントでは、イベントの発生時刻から解消予定時刻までの時間を示し、将来発生するイベントでは、イベントの発生予定時刻から解消予定時刻までの時間を示す
ことを特徴とする請求項１記載の情報表示装置。
【請求項５】
前記円状部は、最も過去の時と最も将来の時との間に間隙部を有することを特徴とする請求項４記載の情報表示装置。
【請求項６】
前記円状部は円環状部であり、
前記イベント発生時間表示部は、前記円環状部内に表示される
ことを特徴とする請求項１〜５のいずれか１項に記載の情報表示装置。
【請求項７】
前記複数の監視対象それぞれを前記全体図内に表示するための位置情報を記憶する監視対象情報記憶部をさらに備え、
前記描画制御部は、前記監視対象情報記憶部に記憶されている位置情報に基づき、イベントが発生した監視対象、または、イベントの発生が予定されている監視対象に対応させて、前記イベント表示画像を描画する
ことを特徴とする請求項１〜６のいずれか１項に記載の情報表示装置。
【請求項８】
複数の監視対象のうち、イベントが発生した監視対象、または、イベントの発生が予定されている監視対象それぞれに対応させて、イベントの発生時間をイベント情報記憶部に記憶し、
前記複数の監視対象それぞれを全体図内に表示するための位置情報に基づき、前記全体図内に、前記イベント情報記憶部に記憶されている監視対象に対応させて、イベント表示画像を表示し、
前記イベント表示画像は、
周方向に所定の時間を示す円状部と、
現在の時または分を示すインジケータと、
前記円状部に表示され、イベントの発生時間に対応させたイベント発生時間表示部と、
を含む画像である
ことを特徴とする情報表示方法。
【請求項９】
コンピュータに、
イベント情報記憶部より、複数の監視対象のうち、イベントが発生した監視対象、または、イベントの発生が予定されている監視対象それぞれに対応したイベントの発生時間を読み出す読み出しステップと、
前記複数の監視対象それぞれを全体図内に表示するための位置情報に基づき、前記全体図内に、前記イベント情報記憶部より読み出した、イベントが発生した監視対象、または、イベントの発生が予定されている監視対象に対応させて、イベント表示画像を描画する描画ステップと、
を実行させ、
前記描画ステップは、前記イベント表示画像として、
周方向に所定の時間を示す円状部と、
現在の時または分を示すインジケータと、
前記円状部に表示され、イベントの発生時間に対応させたイベント発生時間表示部と、
を描画する
ことを特徴とする情報表示プログラム。
【発明の詳細な説明】
【技術分野】
【０００１】
本発明は、表示部に、監視対象に関する情報を表示する情報表示装置、情報表示方法、情報表示プログラムに関する。
【背景技術】
【０００２】
表示部に監視対象に関する情報を表示する情報表示装置が種々の用途に用いられている。第１の例として、車両が走行する道路に、道路を監視対象とし、道路の渋滞や通行止めに関する情報を表示部に表示する道路交通情報表示装置が設置されている。
【０００３】
第２の例として、カーナビゲーション装置の表示部は、地図上に、道路の渋滞や通行止めに関する情報を表示することがある。
【０００４】
第３の例として、特許文献１には、ネットワークを構成する機器の物理的な配置を表示部に表示し、機器に障害が発生したとき、表示部に障害が発生した場所を明示するネットワーク監視システムが記載されている。第３の例では、ネットワークを構成する機器が監視対象であり、監視対象に関する情報とは、機器に発生する障害である。
【先行技術文献】
【特許文献】
【０００５】
【特許文献１】特開平６−１０３２００号公報
【発明の概要】
【発明が解決しようとする課題】
【０００６】
第１〜第３の例のような、監視対象に関して発生した渋滞、通行止め、障害、故障等をイベントと称する。上述した従来の情報表示装置は、イベントの発生の有無を認識することができるものの、イベントがいつ発生したのか、イベントがどの程度の時間継続しているのかを認識することはできない。
【０００７】
従来の情報表示装置は、イベントの発生時刻や継続時間等の詳細情報を吹き出しやポップアップウインドウで表示することがある。吹き出しやポップアップウインドウは、他の情報を隠してしまうため好ましくない。
【０００８】
また、第１，第２の例の場合、運転者が運転中に、吹き出しやポップアップウインドウに記載された文章による詳細情報を読むことは容易でなく、交通安全上、好ましくない。
【０００９】
監視対象に関するイベントの時間的な情報を直感的に認識できる表示形態が望まれる。監視対象に関するイベントとは、監視対象に関して過去に発生したイベント、監視対象に関して現在発生しているイベント、監視対象に関して将来発生するイベントのいずれかである。
【００１０】
そこで、本発明は、監視対象に関するイベントの時間的な情報を直感的に認識することができる情報表示装置、情報表示方法、情報表示プログラムを提供することを目的とする。
【課題を解決するための手段】
【００１１】
本発明は、上述した従来の技術の課題を解決するため、複数の監視対象のうち、イベントが発生した監視対象、または、イベントの発生が予定されている監視対象それぞれに対応させて、イベントの発生時間を記憶するイベント情報記憶部と、前記複数の監視対象それぞれを全体図内に表示するための位置情報に基づき、前記全体図内に、前記イベント情報記憶部に記憶されている監視対象に対応させて、イベント表示画像を描画するよう制御する描画制御部とを備え、前記描画制御部は、前記イベント表示画像として、周方向に所定の時間を示す円状部と、現在の時または分を示すインジケータと、前記円状部に表示され、イベントの発生時間に対応させたイベント発生時間表示部とを描画することを特徴とする情報表示装置を提供する。
【００１２】
また、本発明は、上述した従来の技術の課題を解決するため、複数の監視対象のうち、イベントが発生した監視対象、または、イベントの発生が予定されている監視対象それぞれに対応させて、イベントの発生時間をイベント情報記憶部に記憶し、前記複数の監視対象それぞれを全体図内に表示するための位置情報に基づき、前記全体図内に、前記イベント情報記憶部に記憶されている監視対象に対応させて、イベント表示画像を表示し、前記イベント表示画像は、周方向に所定の時間を示す円状部と、現在の時または分を示すインジケータと、前記円状部に表示され、イベントの発生時間に対応させたイベント発生時間表示部とを含む画像であることを特徴とする情報表示方法を提供する。
【００１３】
さらに、本発明は、上述した従来の技術の課題を解決するため、コンピュータに、イベント情報記憶部より、複数の監視対象のうち、イベントが発生した監視対象、または、イベントの発生が予定されている監視対象それぞれに対応したイベントの発生時間を読み出す読み出しステップと、前記複数の監視対象それぞれを全体図内に表示するための位置情報に基づき、前記全体図内に、前記イベント情報記憶部より読み出した、イベントが発生した監視対象、または、イベントの発生が予定されている監視対象に対応させて、イベント表示画像を描画する描画ステップとを実行させ、前記描画ステップは、前記イベント表示画像として、周方向に所定の時間を示す円状部と、現在の時または分を示すインジケータと、前記円状部に表示され、イベントの発生時間に対応させたイベント発生時間表示部とを描画することを特徴とする情報表示プログラムを提供する。
【発明の効果】
【００１４】
本発明の情報表示装置、情報表示方法、情報表示プログラムによれば、監視対象に関するイベントの時間的な情報を直感的に認識することができる。
【図面の簡単な説明】
【００１５】
【図１】第１実施形態の情報表示装置を備える無線ネットワークシステムの構成例を示すブロック図である。
【図２】第１実施形態の情報表示装置であり、図１中のネットワーク監視装置の具体的構成例を示すブロック図である。
【図３】第１実施形態の情報表示装置、情報表示方法、情報表示プログラムで表示部に表示されるネットワークトポロジー図の一例である。
【図４】各実施形態の情報表示装置、情報表示方法、情報表示プログラムで用いるイベント表示画像の例を示す図である。
【図５】各実施形態の情報表示装置、情報表示方法、情報表示プログラムで用いるイベント表示画像の他の例を示す図である。
【図６】第１実施形態の情報表示装置、情報表示方法、情報表示プログラムで表示部に表示される無線基地局の位置を示す地図の一例である。
【図７】無線基地局の位置に表示されるイベント表示画像の変形例を示す地図の一例である。
【図８】第２実施形態の情報表示装置を備える道路交通情報表示装置の構成例を示すブロック図である。
【図９】第２実施形態の情報表示装置、情報表示方法、情報表示プログラムで表示部に表示される道路交通情報の一例を示す図である。
【図１０】第２実施形態の情報表示装置を備えるナビゲーション装置の構成例を示すブロック図である。
【図１１】イベント表示画像の遷移の例を示す図である。
【図１２】イベント表示画像の変形例を示す図である。
【発明を実施するための形態】
【００１６】
以下、各実施形態の情報表示装置、情報表示方法、情報表示プログラムについて、添付図面を参照して説明する。
【００１７】
＜第１実施形態＞
第１実施形態は、無線ネットワークシステムを例とする。図１において、無線システムコントローラＣ０は、無線ネットワークシステムの全体を制御する。無線システムコントローラＣ０は、記憶部ＭＣ０を有する。
【００１８】
無線システムコントローラＣ０には、ネットワーク監視装置１００が接続されている。ネットワーク監視装置１００の具体的構成及び動作は後に詳述する。
【００１９】
無線システムコントローラＣ０には、ハブＨ０及びルータＲ０を介して、無線基地局ＢＳ１〜ＢＳ４が並列的に接続されている。無線基地局の数は４つに限定されない。
【００２０】
無線基地局ＢＳ１は、ルータＲ１及びハブＨ１と、ハブＨ１に並列的に接続された無線基地局コントローラＣ１及び無線レピータRP11〜RP14とを有する。無線レピータの数は４つに限定されない。無線基地局コントローラＣ１と１つの無線レピータとが一体化されていてもよい。
【００２１】
無線端末ＲＴ１，ＲＴ２は、無線基地局ＢＳ１を介して音声またはデータを送受信する。実際には、無線端末は、無線基地局ＢＳ１の通信エリア内に多数存在する。
【００２２】
無線基地局ＢＳ２は、ルータＲ２及びハブＨ２と、ハブＨ２に並列的に接続された無線基地局コントローラＣ２及び無線レピータRP21，RP22とを有する。無線レピータの数は２つに限定されない。無線基地局コントローラＣ２と１つの無線レピータとが一体化されていてもよい。無線基地局ＢＳ２の通信エリア内にも、１または複数の無線端末が存在する。
【００２３】
無線基地局ＢＳ３，ＢＳ４の具体的な構成は、無線基地局ＢＳ１，ＢＳ２と同様であり、具体的な構成の図示を省略する。無線基地局ＢＳ３，ＢＳ４も無線基地局コントローラと１または複数の無線レピータを有する。無線基地局ＢＳ３，ＢＳ４の通信エリア内にも、１または複数の無線端末が存在する。
【００２４】
以上のように構成される無線ネットワークシステムにおいて、無線基地局ＢＳ１の無線基地局コントローラＣ１は、無線レピータRP11〜RP14に発生するイベントに関する情報を記憶する。ここでのイベントとは、無線レピータRP11〜RP14に障害が発生して不動作となったことや、例えば温度上昇によってエラーが発生したこと等である。障害は、エラーを含む。
【００２５】
同様に、無線基地局ＢＳ２の無線基地局コントローラＣ２は、無線レピータRP21，RP22に発生するイベントに関する情報を記憶する。無線基地局ＢＳ３，ＢＳ４の無線基地局コントローラは、無線レピータに発生するイベントに関する情報を記憶する。
【００２６】
無線システムコントローラＣ０は、無線基地局ＢＳ１〜ＢＳ４で発生したイベントに関する情報の全てを収集して記憶部ＭＣ０に記憶する。
【００２７】
図２を用いて、ネットワーク監視装置１００の具体的構成及び動作を説明する。ネットワーク監視装置１００は、制御部１０，ＵＳＢホストコントローラ２０，記憶部３０，通信部４０，ＶＲＡＭ５０，表示ドライバ６０，表示部７０を備える。制御部１０は、ネットワーク監視装置１００の全体を制御する。
【００２８】
制御部１０，ＵＳＢホストコントローラ２０，記憶部３０，通信部４０，ＶＲＡＭ５０，表示ドライバ６０は、互いに内部バス８０で接続されている。
【００２９】
表示ドライバ６０及び表示部７０を、ネットワーク監視装置１００の外部に設けてもよい。表示ドライバ６０及び表示部７０がネットワーク監視装置１００の外部に設けられている場合、ネットワーク監視装置１００は、表示部７０に表示すべき情報を有線または無線にて表示ドライバ６０に供給する機能を有すればよい。
【００３０】
表示ドライバ６０及び表示部７０は、携帯端末に備えられているものであってもよい。
【００３１】
記憶部３０は、背景情報記憶部３１，画像記憶部３２，監視対象情報記憶部３３，イベント情報記憶部３４を有する。背景情報記憶部３１は、後述するネットワークトポロジー図の背景となる情報（画像）を記憶する。画像記憶部３２は、ネットワークトポロジー図に表示する監視対象を示す画像を記憶する。
【００３２】
監視対象情報記憶部３３は、監視対象の情報を記憶する。監視対象とは、図１における無線システムコントローラＣ０、ハブＨ０，Ｈ１，Ｈ２…、ルータＲ０，Ｒ１，Ｒ２…、無線基地局コントローラＣ１，Ｃ２…、無線レピータRP11〜RP14，RP21，RP22…である。
【００３３】
監視対象情報記憶部３３は、画像記憶部３２が記憶している監視対象を示す画像をネットワークトポロジー図上のどの位置に表示するかの位置情報も記憶する。
【００３４】
無線システムコントローラＣ０の記憶部ＭＣ０に記憶されたイベントに関する情報は、ネットワーク監視装置１００に転送される。イベント情報記憶部３４は、転送されたイベントに関する情報を記憶する。
【００３５】
制御部１０は、通信部４０を介して、監視対象それぞれに対してポーリングを実行することによって、監視対象それぞれが正常に動作しているか否かを監視する。即ち、制御部１０は、それぞれの監視対象に対する死活監視を実行する。
【００３６】
ポーリングの結果、正常な応答が得られないとき、制御部１０は、監視対象に障害（故障）が発生したとして、イベント情報記憶部３４にイベントに関する情報を記憶する。
【００３７】
このように、イベント情報記憶部３４は、無線システムコントローラＣ０が収集したイベントに関する情報と、ネットワーク監視装置１００が独自に死活監視を実行した結果のイベントに関する情報との双方を記憶する。
【００３８】
入力部１１０は、ＵＳＢホストコントローラ２０に接続されている。入力部１１０は、例えば、キーボードやマウスである。入力部１１０によって、いずれかの監視対象を指し示すことができる。
【００３９】
図３を用いて、制御部１０による制御に基づいて、表示部７０が表示するネットワークトポロジー図の一例を説明する。図３に示すように、図１における無線システムコントローラＣ０、ハブＨ０，Ｈ１…、ルータＲ０，Ｒ１，Ｒ２…、無線基地局コントローラＣ１、無線レピータRP11〜RP14が簡略的に円の画像で示されている。
【００４０】
円の画像は監視対象を示す所定の画像の一例であり、画像記憶部３２に記憶されている。背景の画像Ｉｂｇは監視対象の接続状態を示しており、背景情報記憶部３１に記憶されている。ネットワークトポロジー図に、破線にて示すネットワーク監視装置１００を表示してもよいし、表示しなくてもよい。
【００４１】
制御部１０は、背景情報記憶部３１に記憶されている背景の画像ＩｂｇをＶＲＡＭ５０に描画する。さらに、制御部１０は、ＶＲＡＭ５０に、画像記憶部３２に記憶されている円の画像をそれぞれの監視対象の位置に描画する。制御部１０は、描画制御部として機能している。
【００４２】
図３に示す例では、無線基地局ＢＳ２におけるハブＨ２と、無線基地局コントローラＣ２と、無線レピータRP21，RP22には、障害等のイベントが発生している。障害等のイベントの発生によって、それぞれの監視対象の位置には、円の画像ではなく、イベント表示画像ＩＨ２，ＩＣ２，IRP21，IRP22が表示されている。なお、この例でのハブＨ２は、ＩＰアドレスを付与されてネットワーク機器として応答できる高機能なハブである。
【００４３】
制御部１０は、イベントが発生している監視対象の位置には、ＶＲＡＭ５０に画像記憶部３２に記憶されているイベント表示画像を描画して、表示部７０に表示する。
【００４４】
ここでは、ネットワーク監視装置１００は、イベントが発生している監視対象の位置にイベント表示画像を表示している。ネットワーク監視装置１００は、過去にイベントが発生した監視対象の位置や、将来、イベントの発生が予定されている監視対象の位置にイベント表示画像を表示してもよい。
【００４５】
図４の（ａ）〜（ｄ）及び図５の（ａ）〜（ｅ）を用いて、イベント表示画像の例を説明する。イベントの発生時に、監視対象を示す円の画像に代えて表示するイベント表示画像をイベント表示画像Ieventと総称することとする。
【００４６】
図４の（ａ）に示すイベント表示画像Ieventは、円環状部Ｉ１と、時表示インジケータＩ２とを有する。円環状部Ｉ１の全周は１２時間を示す。時表示インジケータＩ２は、アナログ時計の短針に相当する。円環状部Ｉ１の代わりに、単なる円である円状部を用いてもよい。円状部は、円環状部を含む。
【００４７】
時表示インジケータＩ２の円環状部Ｉ１側の先端の位置は、現在時刻ｘｘ時ｙｙ分におけるｙｙ分を省略した現在のｘｘ時を示す。現在時刻は、１５時（午後３時）であるとする。
【００４８】
図４の（ａ）に示す例では、円環状部Ｉ１は、１０時に相当する時刻Ｔ１から１５時に相当する時刻Ｔ２まで塗り潰されている。この塗り潰されている領域ＡＴｅは、イベントの発生時間を示すイベント発生時間表示部となっている。即ち、図４の（ａ）に示すイベント表示画像Ieventの領域ＡＴｅは、イベントが１０時に発生して、現在時刻まで継続していることを示す。
【００４９】
画像記憶部３２は、円環状部Ｉ１と時表示インジケータＩ２それぞれを示す画像を記憶する。制御部１０は、画像記憶部３２より円環状部Ｉ１と時表示インジケータＩ２それぞれを示す画像を読み出してＶＲＡＭ５０に描画する。制御部１０は、時表示インジケータＩ２を示す画像をＶＲＡＭ５０に描画するときに、現在時刻に応じて画像を回転させて描画する。
【００５０】
制御部１０は、イベント情報記憶部３４に記憶されているイベントに関する情報に基づいて、円環状部Ｉ１に領域ＡＴｅを形成することによって、図４の（ａ）に示すイベント表示画像Ieventを生成することができる。
【００５１】
ここでは、円環状部Ｉ１におけるイベントの発生時間の領域を塗り潰すことによって領域ＡＴｅとしているが、領域ＡＴｅを所定の色で表示したり、領域ＡＴｅに斜線等の所定の模様を表示したりしてもよい。イベント発生時間表示部である領域ＡＴｅの表示形態は塗り潰しに限定されない。
【００５２】
イベントが発生していることを効果的に視認させるために、円環状部Ｉ１の内側の領域Ａ２０を点滅させてもよい。現在時刻まで継続しているイベントがある場合にのみ内側の領域を点滅させてもよい。また、現在時刻まで継続しているイベントがなく、発生したイベントが全て解消（終了）している場合を含めて、内側の領域を点滅させてもよい。制御部１０がＶＲＡＭ５０における描画状態を適宜に変更することによって、所定の領域を点滅させることができる。
【００５３】
図４の（ｂ）に示すイベント表示画像Ieventは、塗り潰されている３箇所の領域ATe1，ATe2，ATe3を有する。これによって、イベント表示画像Ieventは、過去に２回のイベントが発生し、３回目に発生したイベントが現在時刻まで継続していることを示す。
【００５４】
図４の（ｂ）に示すイベント表示画像Ieventでは、領域ATe1，ATe2，ATe3それぞれに対応した扇状部分Ａ２１，Ａ２２，Ａ２３を点滅させてもよい。
【００５５】
図４の（ｃ）に示すイベント表示画像Ieventの円環状部Ｉ１は、１０時に相当する時刻Ｔ１から１３時に相当する時刻Ｔ２まで塗り潰されている領域ＡＴｅを有する。即ち、図４の（ｃ）に示すイベント表示画像Ieventの領域ＡＴｅは、イベントが１０時に発生して、１３時にイベントが解消したことを示す。
【００５６】
図４の（ｃ）においても、円環状部Ｉ１の内側の領域Ａ２０または領域ＡＴｅに対応した扇状部分Ａ３０を点滅させてもよい。図４の（ｃ）に示すイベント表示画像Ieventは、過去に発生したイベントを示すので、領域Ａ２０または扇状部分Ａ３０を点滅させなくてもよい。
【００５７】
図４の（ｄ）に示すイベント表示画像Ieventは、過去において、３箇所の領域ATe4，ATe5，ATe6を有する。これによって、イベント表示画像Ieventは、過去に３回のイベントが発生し、現在はイベントが解消していることを示す。
【００５８】
同様に、領域ATe4，ATe5，ATe6に対応した扇状部分Ａ２４，Ａ２５，Ａ２６を点滅させてもよいし、点滅させなくてもよい。
【００５９】
図４の（ａ）〜（ｄ）に示すイベント表示画像Ieventは、過去と将来とを区別しにくい。図５は、過去と将来とを区別しやすいよう改良したイベント表示画像Ieventの例を示す。
【００６０】
図５の（ａ）に示すイベント表示画像Ieventは、部分的な切り欠きである間隙部I110を有する円環状部Ｉ１１と、時表示インジケータＩ２とを有する。間隙部I110を１時間の長さとすると、円環状部Ｉ１１は１１時間を示す。円環状部Ｉ１１のみで１２時間を示してもよい。間隙部I110は３０分程度の長さでもよい。
【００６１】
図５の（ｂ）に示す例は、１０時に相当する時刻Ｔ１から現在時刻である１５時に相当する時刻Ｔ２まで塗り潰されている領域ＡＴｅを有する。図５の（ｂ）に示すイベント表示画像Ieventの領域ＡＴｅは、イベントが１０時に発生して、現在までイベントが継続していることを示す。
【００６２】
図３のハブＨ２，無線基地局コントローラＣ２，無線レピータRP21，RP22の位置に示すイベント表示画像ＩＨ２，ＩＣ２，IRP21，IRP22は、図５の（ｂ）に示すイベント表示画像Ieventである。
【００６３】
図５の（ｃ）に示すイベント表示画像Ieventは、円環状部Ｉ１１が、時表示インジケータＩ２にて示す現在時刻よりも将来に渡っている。即ち、図５の（ｃ）に示すイベント表示画像Ieventは、現在の時に対する過去と将来のイベントを表示可能である。
【００６４】
図５の（ｄ）に示す例は、時刻Ｔ４から時刻Ｔ５まで塗り潰されている領域ＡＴｅを有する。図５の（ｄ）に示すイベント表示画像Ieventの領域ＡＴｅは、イベントが時刻Ｔ４に発生し、イベントが現在の時以降も継続して、時刻Ｔ５に解消することを示す。
【００６５】
図５の（ｅ）に示す例は、時刻Ｔ６から時刻Ｔ７まで塗り潰されている領域ＡＴｅを有する。図５の（ｅ）に示すイベント表示画像Ieventの領域ＡＴｅは、イベントが将来の時刻Ｔ６〜Ｔ７に発生する予定であることを示す。
【００６６】
図５の（ｃ）〜（ｅ）に示すような将来のイベントを表示可能なイベント表示画像Ieventは、例えば、監視対象が点検や修理等で不動作となり、動作の再開時刻が予め決まっている場合に有用である。
【００６７】
以上のように、一例として、イベント表示画像Ieventの円環状部Ｉ１，Ｉ１１は、現在の時以前の所定の時間（例えば１２時間）を示す。領域ＡＴｅで表現されるイベント発生時間表示部は、過去に発生したイベントでは、イベントの発生時刻からイベントの解消時刻までの時間を示し、現在の時で継続しているイベントでは、イベントの発生時刻から現在の時までの時間を示す。
【００６８】
他の例として、イベント表示画像Ieventの円環状部Ｉ１，Ｉ１１は、現在の時を挟んで過去及び将来を含む所定の時間を示してもよい。
【００６９】
イベント発生時間表示部は、過去に発生したイベントでは、イベントの発生時刻からイベントの解消時刻までの時間を示し、現在の時で継続しているイベントでは、イベントの発生時刻から現在の時までの時間を示す。
【００７０】
また、イベント発生時間表示部は、過去に発生して将来解消するイベントでは、イベントの発生時刻から解消予定時刻までの時間を示し、将来の発生が予定されているイベントでは、イベントの発生予定時刻から解消予定時刻までの時間を示す。
【００７１】
図６に示す表示形態は、無線基地局が位置する場所を地図上に示し、障害が発生している（または発生した）無線基地局を図４または図５のイベント表示画像Ieventで表示した例である。
【００７２】
図２に示すネットワーク監視装置１００によって、表示部７０に図６に示す表示形態も表示可能である。背景情報記憶部３１は、背景の画像として、それぞれ地図を構成する道路を示す画像Ibg1と、線路を示す画像Ibg2と、駅を示す画像Ibg3等を記憶する。
【００７３】
地図上に配置されている円の画像は、無線基地局ＢＳを示している。無線基地局ＢＳは、無線基地局ＢＳ１〜ＢＳ４等を含む任意の無線基地局である。画像記憶部３２は、無線基地局ＢＳを示す円の画像を記憶する。監視対象情報記憶部３３は、それぞれの無線基地局ＢＳを地図上のどの位置に表示するかの位置情報を記憶する。
【００７４】
一部の無線基地局ＢＳには、過去に、障害が発生したか、現在、障害が発生している。障害が発生している（発生した）無線基地局ＢＳの位置には、円の画像ではなく、イベント表示画像Ieventが表示されている。
【００７５】
図７は、イベント表示画像Ieventの変形例を地図上に表示した例である。図７に示すイベント表示画像Ievent2は、イベント表示画像Ieventの周囲に付加的な情報を加えたものである。図７に示す例では、付加的な情報は、扇状の突出部で表現されている。
【００７６】
例えば、扇状の突出部は次のような情報を表す。突出部Ipr1は、無線基地局ＢＳの端末数を示す。端末数が多いほど突出部Ipr1の突出量を大きくすることにより、端末数を大まかに認識することができる。
【００７７】
突出部Ipr2は、無線基地局ＢＳのチャンネル数を示す。チャンネル数が多いほど突出部Ipr2の突出量を大きくすることにより、チャンネル数を大まかに認識することができる。
【００７８】
突出部Ipr3は、無線基地局ＢＳのチャンネル使用率を示す。チャンネル使用率が高いほど突出部Ipr3の突出量を大きくすることにより、チャンネル使用率を大まかに認識することができる。
【００７９】
突出部Ipr4は、無線基地局ＢＳでの通信における未発呼の数を示す。未発呼の数が多いほど突出部Ipr4の突出量を大きくすることにより、未発呼の数を大まかに認識することができる。
【００８０】
突出部Ipr5は、無線基地局ＢＳでの通信における発呼の遅延時間を示す。遅延時間が長いほど突出部Ipr5の突出量を大きくすることにより、遅延時間を大まかに認識することができる。
【００８１】
突出部Ipr6は、無線基地局ＢＳの基板温度を示す。基板温度が高いほど突出部Ipr6の突出量を大きくすることにより、基板温度を大まかに認識することができる。
【００８２】
ところで、図２に示すネットワーク監視装置１００は、パーソナルコンピュータを用いて構成することができる。コンピュータプログラム（情報表示プログラム）によって、コンピュータに、第１実施形態の情報表示装置及び情報表示方法と同様の動作を実行させることができる。
【００８３】
第１実施形態の情報表示装置、情報表示方法、情報表示プログラムによれば、監視対象に関するイベントの時間的な情報を直感的に認識することができる。第１実施形態の情報表示装置、情報表示方法、情報表示プログラムにおいて、監視対象は無線ネットワークシステムを構成する機器であり、イベントとは、機器に発生する障害または故障である。
【００８４】
＜第２実施形態＞
第２実施形態は、道路交通情報表示装置を例とする。図８に示す道路交通情報表示装置２００において、図２に示すネットワーク監視装置１００と実質的に同一部分には同一符号を付し、その説明を省略することがある。
【００８５】
図８において、背景情報記憶部３１は、背景の画像として、図９に示す地図の道路を示す画像Ibg10を記憶する。画像記憶部３２は、イベント表示画像Ieventや、図９に示す渋滞を示す画像Ｉ２１、混雑を示す画像Ｉ２２、通行止めを示す画像Ｉ２３、通行止め予定を示す画像Ｉ２４、凡例を示す画像Ｉ２５、補足画像Ｉ２６を記憶する。
【００８６】
補足画像Ｉ２６は、通行止めを示すイベント表示画像Ieventを補足するための情報である。補足画像Ｉ２６における“１３：４５”は現在時刻を示している。画像記憶部３２は、現在時刻以外の画像を記憶する。補足画像Ｉ２６は、省略可能である。
【００８７】
監視対象情報記憶部３３は、監視対象であるそれぞれの道路に関する情報を記憶する。イベント情報記憶部３４は、道路に関するイベントとして、渋滞、混雑、通行止め、通行止め予定の情報を記憶する。
【００８８】
受信部４１は、図示していない道路交通情報提供センターより提供される道路に関するイベントの情報を受信する。制御部１０は、受信したイベントの情報をイベント情報記憶部３４に記憶させる。
【００８９】
制御部１０は、図２と同様に、各種の画像をＶＲＡＭ５０に描画することによって、図９に示すような地図画像を生成する。制御部１０は、地図画像を表示部７０に表示させる。
【００９０】
図９に示すように、制御部１０は、通行止めとなっている道路に隣接させて、イベント表示画像Ieventを表示させる。また、制御部１０は、通行止め予定となっている道路に隣接させて、イベント表示画像Ieventを表示させる。このように、制御部１０は、道路の通行に関する情報を、イベント表示画像Ieventを用いて表示させている。
【００９１】
第２実施形態の情報表示装置、情報表示方法、情報表示プログラムによれば、監視対象に関するイベントの時間的な情報を直感的に認識することができる。第２実施形態の情報表示装置、情報表示方法、情報表示プログラムにおいて、監視対象は道路であり、イベントとは、道路の通行に関する情報である。道路の通行に関する情報は、道路の通行の可否に関する情報であってもよい。
【００９２】
＜第３実施形態＞
第３実施形態は、ナビゲーション装置を例とする。図１０に示すナビゲーション装置３００において、図２に示すネットワーク監視装置１００と実質的に同一部分には同一符号を付し、その説明を省略することがある。
【００９３】
図１０において、地図情報記憶部３５は、地図情報を記憶する。画像記憶部３２は、イベント表示画像Ieventを記憶する。受信部４１は、ＦＭ多重放送や道路上の発信機から受信した交通情報を受信する。
【００９４】
交通情報は、道路に関するイベントとして道路の通行に関する情報を含む。道路に関するイベントは、少なくとも通行止めである。道路に関するイベントは、第２実施形態と同様、渋滞、混雑、通行止め、通行止め予定であってもよい。制御部１０は、受信したイベントの情報をイベント情報記憶部３４に記憶させる。
【００９５】
交通情報は、VICS (Vehicle Information and Communication System)と称される交通情報であってもよい。VICSは、財団法人道路交通情報通信システムセンターの登録商標である。
【００９６】
アンテナ９０ａは、全地球航法衛星システム（Global Navigation Satellite System: GNSS）用の複数の衛星からの電波を受信する。GNSS受信部９０は、アンテナ９０ａが出力するGNSS信号を受信する。GNSSは、一例としてＧＰＳ（Global Positioning System）である。
【００９７】
GNSS受信部９０が複数の衛星からの電波に基づくGNSS信号を受信することによって、制御部１０は、ナビゲーション装置３００の現在位置を検出して記憶する。
【００９８】
ナビゲーション装置３００においては、ナビゲーション装置３００を搭載する車両の移動に伴って位置情報が変化する。制御部１０は、複数の監視対象それぞれを全体図内に表示するための位置情報を取得する。
【００９９】
制御部１０は、現在位置周辺の地図情報を地図情報記憶部３５より読み出し、ＶＲＡＭ５０に描画する。制御部１０は、地図上に、イベント表示画像Ieventを描画する。
【０１００】
ナビゲーション装置３００の表示部７０に表示される地図画像は、図９と同様である。但し、地図画像は、車両の移動に伴って変化する。
【０１０１】
以上の第１〜第３実施形態におけるイベント表示画像Ieventを基本として、図１１に示すように発展させてもよい。
【０１０２】
図１１に示すように、イベント表示画像Ieventの下方には、時間戻しボタンIB(-)と、時間進みボタンIB(+)と、初期状態である現在の時に戻す現在時戻しボタンIB0とが表示されている。
【０１０３】
図２の例では、入力部１１０によって時間戻しボタンIB(-)が操作されたら、制御部１０は、例えば１２時間前のイベント表示画像Ievent(-1)に遷移させる。引き続き時間戻しボタンIB(-)が押下されたら、制御部１０は、さらに１２時間前のイベント表示画像Ievent(-2)に遷移させる。
【０１０４】
図１１に示すように、イベント表示画像Ieventをイベント表示画像Ievent(-1)，Ievent(-2)に遷移させることによって、過去に発生したイベントを認識することができる。
【０１０５】
将来発生するイベントが予め判明している場合には、同様にして、時間進みボタンIB(+)を操作することによって、将来に発生が予定されているイベントを認識することができる。
【０１０６】
以上説明したイベント表示画像Ieventの円環状部Ｉ１，Ｉ１１は、１２時間（または１１時間）を示している。イベント表示画像Ieventの変形例として、円環状部を１時間とし、１時間以内に発生したイベントを表示するようにしてもよい。
【０１０７】
図１２に示すイベント表示画像Ievent3は、円環状部Ｉ３１と、分表示インジケータＩ３２とを有する。円環状部Ｉ３１は、間隙部I310を含めて１時間を示す。分表示インジケータＩ３２は、アナログ時計の長針に相当する。
【０１０８】
イベント表示画像Ievent3によれば、１時間以内に発生したイベントを詳細に表示することが可能である。
【０１０９】
第１〜第３実施形態の情報表示装置及び情報表示方法をまとめると、次のとおりである。
【０１１０】
イベント情報記憶部３４は、複数の監視対象のうち、イベントが発生した監視対象、または、イベントの発生が予定されている監視対象それぞれに対応させて、イベントの発生時間を記憶する。
【０１１１】
制御部１０は、複数の監視対象それぞれを全体図内に表示するための位置情報に基づき、全体図内に、イベント情報記憶部３４に記憶されている監視対象に対応させて、イベント表示画像Ievent（Ievent2，Ievent3）を描画するよう制御する。制御部１０は、描画制御部として機能する。
【０１１２】
第１，第２実施形態においては、監視対象情報記憶部３３は、複数の監視対象それぞれを全体図内に表示するための位置情報を記憶する。制御部１０は、監視対象情報記憶部３３に記憶されている位置情報に基づいて、全体図内にイベント表示画像Ievent（Ievent2，Ievent3）を描画する。
【０１１３】
第３実施形態においては、制御部１０は、現在位置の位置情報を取得する。制御部１０は、現在位置の位置情報に基づいて、全体図内にイベント表示画像Ievent（Ievent2，Ievent3）を描画する。
【０１１４】
描画制御部は、イベント表示画像Ievent（Ievent2，Ievent3）として、周方向に所定の時間を示す円状部と、現在の時または分を示すインジケータ（時表示インジケータＩ２または分表示インジケータＩ３２）と、円状部に表示され、イベントの発生時間に対応させたイベント発生時間表示部とを描画する。円状部は、一例として、円環状部Ｉ１，Ｉ１１である。領域ＡＴｅ，ATe1，ATe2，ATe3，ATe4，ATe5，ATe6が、イベント発生時間表示部に相当する。
【０１１５】
第１〜第３実施形態の情報表示プログラムをまとめると、次のとおりである。イベント情報記憶部３４は、複数の監視対象のうち、イベントが発生した監視対象、または、イベントの発生が予定されている監視対象に対応したイベントの発生時間を記憶する。
【０１１６】
情報表示プログラムは、コンピュータに、イベントの発生時間をイベント情報記憶部３４に書き込むステップを実行させるのがよい。
【０１１７】
情報表示プログラムは、コンピュータに、イベント情報記憶部３４より、イベントが発生した監視対象、または、イベントの発生が予定されている監視対象それぞれに対応したイベントの発生時間を読み出す読み出しステップを実行させる。
【０１１８】
情報表示プログラムは、コンピュータに、複数の監視対象それぞれを全体図内に表示するための位置情報に基づき、全体図内に、イベント表示画像を描画する描画ステップを実行させる。情報表示プログラムは、イベント情報記憶部３４より読み出した、イベントが発生した監視対象、または、イベントの発生が予定されている監視対象に対応させて、イベント表示画像を描画させる。
【０１１９】
第１，第２実施形態においては、監視対象情報記憶部３３は、予め、複数の監視対象それぞれを全体図内に表示するための位置情報を記憶している。第３実施形態においては、制御部１０は、複数の監視対象それぞれを全体図内に表示するために、現在位置の位置情報を取得する。
【０１２０】
情報表示プログラムは、コンピュータに、監視対象情報記憶部３３より、位置情報を読み出す読み出しステップを実行させるのがよい。情報表示プログラムは、コンピュータに、制御部１０が取得した現在位置の位置情報を利用させるのがよい。
【０１２１】
情報表示プログラムは、コンピュータに、全体図内に、イベント情報記憶部３４より読み出した、イベントが発生した監視対象、または、イベントの発生が予定されている監視対象に対応させて、イベント表示画像Ievent（Ievent2，Ievent3）を描画する描画ステップを実行させる。
【０１２２】
情報表示プログラムは、複数の監視対象それぞれを全体図内に表示するための位置情報に基づき、全体図内にイベント表示画像Ievent（Ievent2，Ievent3）を描画させる。
【０１２３】
情報表示プログラムが、コンピュータに、描画ステップにて描画させるイベント表示画像Ievent（Ievent2，Ievent3）は、周方向に所定の時間を示す円状部と、現在の時または分を示すインジケータ（時表示インジケータＩ２または分表示インジケータＩ３２）と、イベントの発生時間に対応させたイベント発生時間表示部とを含む画像である。
【０１２４】
全体図は、例えば、ネットワークトポロジー図、システム系統図、地図のうちのいずれかである。
【０１２５】
本発明は以上説明した第１〜第３実施形態に限定されるものではなく、本発明の要旨を逸脱しない範囲において種々変更可能である。
【符号の説明】
【０１２６】
１０  制御部（描画制御部）
３３  監視対象情報記憶部
３４  イベント情報記憶部
ＡＴｅ，ATe1，ATe2，ATe3，ATe4，ATe5，ATe6  領域（イベント発生時間表示部）
Ｉ１，Ｉ１１  円環状部（円状部）
I110  間隙部
Ｉ２  時表示インジケータ
Ｉ３２  分表示インジケータ
Ievent，Ievent2，Ievent3  イベント表示画像
【図１】
2015191643.tif 000003
【図２】
2015191643.tif 000004
【図３】
2015191643.tif 000005
【図４】
2015191643.tif 000006
【図５】
2015191643.tif 000007
【図６】
2015191643.tif 000008
【図７】
2015191643.tif 000009
【図８】
2015191643.tif 000010
【図９】
2015191643.tif 000011
【図１０】
2015191643.tif 000012
【図１１】
2015191643.tif 000013
【図１２】
2015191643.tif 000014